(57)【要約】      （修正有）【課題】跳び縄セルフロック機能を備える跳び縄ヘッドを提供する。【解決手段】ガイドロープチューブ１、円錐形シェル２、スチールボール３、スプリング４、圧縮ナット５、ベアリング６、ベアリングシート７、及びスクリュー８を含む。ガイドロープチューブ１は三つの同心円穴を備え、スチールボール３を内蔵し、跳び縄９のチャックを構成し、チャックの尾端がスプリング４に接続され、圧縮ナット５を介して円錐形シェル２に接続され、跳び縄９のセルフロック装置を構成し、ベアリングシート７は、両端がそれぞれベアリング６を内蔵し、跳び縄ヘッドの回転装置を構成し、ベアリング６の一端は跳び縄ロック装置に接続され、他端は跳び縄９のハンドルに接続するために備えておき、スクリュー４は回転装置と跳び縄チャック装置という二つの部分を接続する。【選択図】図２
0003216889.tif 000002
【実用新案登録請求の範囲】
【請求項１】
跳び縄セルフロック機能を備える跳び縄ヘッドであって，
ガイドロープチューブ、円錐形シェル、スチールボール、スプリング、圧縮ナット、ベアリング、ベアリングシート，及びスクリューを含み、前記ガイドロープチューブの尾部に三つの同心円穴を備え，スチールボールを内蔵し，尾端がスプリングに接続され，圧縮ナットを介してスプリング、ガイドロープチューブ及び３つのスチールボールを，円錐形シェルに組み立てられ，これにより跳び縄ロック装置を構成し、前記ベアリングシートの両端はベアリングを内蔵し，跳び縄の360度回転装置を構成し，この回転装置の他端には雄ねじが残されており，跳び縄ハンドルを接続するために備えておき、前記スクリューは跳び縄ロック装置と回転装置という二つの部分を接続することで，跳び縄セルフロック機能を備えた跳び縄ヘッドを構成し、この跳び縄回転装置の一端の雄ねじは多種類の跳び縄ハンドルを連結することができ，様々な跳び縄ハンドルを介してこの跳び縄ヘッドと接続され，これによりカラフルな跳び縄を製造することができる
ことを特徴とする跳び縄ヘッド。
【考案の詳細な説明】
【技術分野】
【０００１】
本発明は跳び縄ロック技術分野に属し，特に跳び縄セルフロック機能を備える跳び縄ヘッドに属する。
【背景技術】
【０００２】
現在跳び縄をロックするためには以下のような方法がある：1、結び目を作って固定する；2、ねじを外付けて圧縮する。3. 巻き付く。どのような方法でも着脱するのに手間がかかるし，使用しにくい。運動中に緩みしやく，跳び縄の脱落現象をもたらす。
【０００３】
該背景技術に開示された情報は本発明の一般的な背景の理解を高めるためのものに過ぎず，この情報構成が当業者には既に知られている従来技術であるのを承認又はいかなる方式で示唆するものとみなされるべきではない。
【考案の概要】
【考案が解決しようとする課題】
【０００４】
本発明の目的は跳び縄セルフロック機能を備える跳び縄ヘッドを提供することで，上述した従来技術の欠点を克服することである。
【課題を解決するための手段】
【０００５】
上記の目的を達成するために，本発明はセルフロック機能を備える跳び縄ヘッドを提供し，それはガイドロープチューブ|、円錐形シェル、スチールボール、スプリング、圧縮ナット、ベアリング、ベアリングシート，及びスクリューを含む；前記ガイドロープチューブの尾部に三つの同心円穴を備え，スチールボールを内蔵し，尾端がスプリングに接続され，圧縮ナットを介してスプリング、ガイドロープチューブ及び３つのスチールボールを，円錐形シェルに組み立てられることで，跳び縄ロック装置を構成する。前記ベアリングシートの両端はベアリングを内蔵し，跳び縄の360度回転装置を構成し，この回転装置の他端には雄ねじが残されており，跳び縄ハンドルを接続するために備えておく；前記スクリューは跳び縄ロック装置と回転装置という二つの部分を接続し，跳び縄セルフロック機能を備えた跳び縄ヘッドを構成し，この跳び縄回転装置の一端の雄ねじは多種類の跳び縄ハンドルを接続することができ，様々な跳び縄ハンドルを介してこの跳び縄ヘッドと接続され，これによりより多くのカラフルな跳び縄を製造することができる。
【０００６】
跳び縄を跳び縄ヘッドに挿入し，スチールボールがスプリングと円錐形シェルの作用で内側に押し込まれて跳び縄を締め付け，跳び縄が振られると縄がベアリングシート及びベアリングを連動して３６０度回転させ，ガイドロープチューブを押圧し，スプリングと円錐形シェルの内壁によりスチールボールを圧迫する力が解放され，跳び縄を容易に取り出すことができる。
【考案の効果】
【０００７】
従来技術に比べると，本発明は以下の有益な効果を有する：
跳び縄ヘッドの構造はシンプルで，多種類の跳び縄ハンドルを接続することができ，跳び縄を迅速に解体することができ，元の結び目固定，ねじ外付け，及び巻き付くというロック方法を代替し，一層使用しやすくなる。跳び縄が運動中に，縄は跳び縄の金属ヘッドで詰まられ，二重のベアリングを持つ跳び縄ヘッドにつれて360度連続回転する。異なる跳び縄ヘッドの役割は，縄の長さを延長及び短縮することによって規制上の役割を果たす。
【図面の簡単な説明】
【０００８】
【図１】本発明に係る跳び縄セルフロック機能を備える跳び縄ヘッドの組立概略図である。
【図２】本発明に係る跳び縄セルフロック機能を備える跳び縄ヘッドの分解概略図である。
【図３】本発明に係る跳び縄セルフロック機能を備える跳び縄ヘッドのセット概略図である。
【考案を実施するための形態】
【０００９】
本発明を実施するための形態を以下に詳細に説明するが，本発明の保護範囲は特定の実施形態によって限定されないことを理解されたい。
【００１０】
特に明記しない限り，明細書及び特許請求の範囲全体にわたって，用語「含む」又はその変形「包含」又は「含有」などは列挙された要素又は構成要素を含むと理解されるべきであり， 他のコンポーネント又は他の構成部分は除外されるという意味ではない。
【００１１】
図１―２に示すように，跳び縄セルフロック機能を備える跳び縄ヘッドであって，以下を含む：ガイドロープチューブ１、円錐形シェル２、スチールボール３、スプリング４、圧縮ナット５、ベアリング６、ベアリングシート７、スクリュー８；
【００１２】
図３に示すように，スチールボール３はガイドロープチューブ１内に内蔵され，円錐形シェル２内に組み付けられ，スプリング４はガイドロープチューブの後端をしっかりと押圧し，圧縮ナット５がスプリング４とガイドロープチューブ１、スチールボール３、を円錐形シェル２内に組み付けられる。これにより跳び縄ロック装置を構成する；ベアリング６をベアリングシート７に組み込んで，回転装置を構成する。スクリューを介して跳び縄ロック装置と回転装置を接続しすることで，跳び縄セルフロック機能を備える跳び縄ヘッドを構成し，跳び縄ヘッドの他端の雄ねじは多種類の跳び縄ハンドルに接続され，カラフルでマルチスタイルの跳び縄を製造することができる。
【００１３】
本発明の特定の例示的な実施形態の前述の説明は例示及び説明のために提供される。これらの説明は本発明を開示された正確な形態に限定することを意図するものではなく，上述の教示に基づいて，明らかに多くの修正および変形が可能である。例示的な実施形態を選択的に記載するのは本発明の特定の原理及びそれらの実際的な応用を説明するためであり，それによって他の当業者が本発明の様々な例示的な実施形態を実現でき且つ様々な選択と変更を利用することを可能にする。本発明の範囲は特許請求の範囲及びその等価物によって定義されることが意図されている。
【符号の説明】
【００１４】
1.ガイドロープチューブ 2.円錐形シェル 3.スチールボール 4.スプリング 5.圧縮ナット 6.ベアリング 7.ベアリングシート 8.スクリュー 9.跳び縄
【図１】
0003216889.tif 000003
【図２】
0003216889.tif 000004
【図３】
0003216889.tif 000005